【手続補正書】
【提出日】平成22年8月23日(2010.8.23)
【手続補正１】
【補正対象書類名】明細書
【補正対象項目名】発明の名称
【補正方法】変更
【補正の内容】
【発明の名称】情報提供装置、適正情報生成方法及び適正情報生成処理プログラム
【手続補正２】
【補正対象書類名】明細書
【補正対象項目名】０００１
【補正方法】変更
【補正の内容】
【０００１】
本発明は、ネットワークを介して端末装置からの要求に応じて、データベースに登録された情報に基づいてＷｅｂページを生成し、当該Ｗｅｂページを端末装置に提供する情報提供装置、当該情報提供装置における適正情報生成方法及び適正情報生成処理プログラムの技術分野に関する。
【手続補正３】
【補正対象書類名】明細書
【補正対象項目名】００１２
【補正方法】変更
【補正の内容】
【００１２】
本発明は、以上の点に鑑みてなされたものであり、データベースに登録された登録情報を、キャッシュ等が設定された記憶手段に記憶し、端末装置からの要求に応じて、記憶手段に記憶された登録情報の有効期限に基づいて当該登録情報を更新しながら、登録情報に基づきＷｅｂページを生成して端末装置に送信する情報提供システムにおいて、当該Ｗｅｂページに適正な情報が表示されるか否かを知ることを可能とする情報提供装置、適正情報生成方法及び適正情報生成処理プログラムを提供することを目的とする。
【手続補正４】
【補正対象書類名】明細書
【補正対象項目名】００１３
【補正方法】変更
【補正の内容】
【００１３】
上記課題を解決するために、請求項１に記載の発明は、データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段と、ユーザの指令に基づいて端末装置からネットワークを介して送信された要求情報であって、前記登録情報が表示されるＷｅｂページの要求を示す要求情報を受信する要求情報受信手段と、前記要求情報を受信した場合に、前記登録情報記憶手段に記憶されている前記登録情報に対して設定された有効期限が経過しているか否かを判別する期限経過判別手段と、前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新手段と、前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成手段と、前記生成されたＷｅｂページを、前記要求情報を送信した前記端末装置に前記ネットワークを介して送信するＷｅｂページ送信手段と、前記プログラムインタフェースに対する前記登録情報の取得の指令に対して、所定時間内に当該プログラムインタフェースから応答がなかった場合のタイムアウトエラーを、前記取得エラーとして検出する取得エラー検出手段と、前記取得エラーの検出結果に基づいて、前記送信されたＷｅｂページに適正な前記登録情報が表示されるか否かを示す適正情報を生成する適正情報生成手段と、を備えることを特徴とする。
【手続補正５】
【補正対象書類名】明細書
【補正対象項目名】００１４
【補正方法】変更
【補正の内容】
【００１４】
この発明によれば、情報提供装置は、端末装置から要求情報を受信すると、登録情報記憶手段に記憶されている登録情報の有効期限が経過しているか否かを判別する。このとき、情報提供装置は、有効期限が経過していない場合には、登録情報記憶手段に記憶されている登録情報を用いて、当該登録情報が表示されるＷｅｂページを生成する。一方、情報提供装置は、有効期限が経過している場合には、プログラムインタフェースを通じて、データベースに登録されている登録情報をデータベース管理システムから取得し、当該取得された登録情報で、登録情報記憶手段に記憶されている登録情報を更新するとともに、当該取得された登録情報を用いて、当該登録情報が表示されるＷｅｂページを生成する。ただし、情報提供装置は、取得エラーを検出して、プログラムインタフェースを通じて登録情報を取得できなかった場合には、登録情報記憶手段に記憶されている登録情報を用いて、当該登録情報が表示されるＷｅｂページを生成する。そして、情報提供装置は、生成されたＷｅｂページを端末装置に送信する。ここで、情報提供装置は、登録情報の取得の指令に対し、プログラムインタフェースから応答がなかった場合のタイムアウトエラーを、取得エラーとして検出する。そして、情報提供装置は、取得エラーの検出結果に基づいて、Ｗｅｂページに適正な登録情報が表示されるか否かを示す適正情報を生成する。
【手続補正６】
【補正対象書類名】明細書
【補正対象項目名】００１５
【補正方法】変更
【補正の内容】
【００１５】
従って、たとえ、プログラムインタフェースを通じて登録情報を取得できなかったことにより、登録情報記憶手段に記憶されている有効期限の経過した登録情報を用いてＷｅｂページを生成し、当該Ｗｅｂページを端末装置に送信することで、端末装置の画面には適正な情報が表示されるように見えるような場合であっても、当該Ｗｅｂページに真に適正な情報が表示されるか否かを知ることができる。
【手続補正７】
【補正対象書類名】明細書
【補正対象項目名】００１６
【補正方法】変更
【補正の内容】
【００１６】
請求項２に記載の発明は、データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段と、ユーザの指令に基づいて端末装置からネットワークを介して送信された要求情報であって、前記登録情報が表示されるＷｅｂページの要求を示す要求情報を受信する要求情報受信手段と、前記要求情報を受信した場合に、前記登録情報記憶手段に記憶されている前記登録情報に対して設定された有効期限が経過しているか否かを判別する期限経過判別手段と、前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新手段と、前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成手段と、前記生成されたＷｅｂページを、前記要求情報を送信した前記端末装置に前記ネットワークを介して送信するＷｅｂページ送信手段と、前記プログラムインタフェースからのデータベース管理システムに対する問い合わせに対して、所定時間内にデータベース管理システムから応答がなかった場合のタイムアウトエラーを、前記取得エラーとして検出する取得エラー検出手段と、前記取得エラーの検出結果に基づいて、前記送信されたＷｅｂページに適正な前記登録情報が表示されるか否かを示す適正情報を生成する適正情報生成手段と、を備えることを特徴とする。
【手続補正８】
【補正対象書類名】明細書
【補正対象項目名】００１７
【補正方法】変更
【補正の内容】
【００１７】
この発明によれば、情報提供装置は、端末装置から要求情報を受信すると、登録情報記憶手段に記憶されている登録情報の有効期限が経過しているか否かを判別する。このとき、情報提供装置は、有効期限が経過していない場合には、登録情報記憶手段に記憶されている登録情報を用いて、当該登録情報が表示されるＷｅｂページを生成する。一方、情報提供装置は、有効期限が経過している場合には、プログラムインタフェースを通じて、データベースに登録されている登録情報をデータベース管理システムから取得し、当該取得された登録情報で、登録情報記憶手段に記憶されている登録情報を更新するとともに、当該取得された登録情報を用いて、当該登録情報が表示されるＷｅｂページを生成する。ただし、情報提供装置は、取得エラーを検出して、プログラムインタフェースを通じて登録情報を取得できなかった場合には、登録情報記憶手段に記憶されている登録情報を用いて、当該登録情報が表示されるＷｅｂページを生成する。そして、情報提供装置は、生成されたＷｅｂページを端末装置に送信する。ここで、情報提供装置は、プログラムインタフェースからのデータベース管理システムに対する問い合わせに対して、データベース管理システムから応答がなかった場合のタイムアウトエラーを、取得エラーとして検出する。そして、情報提供装置は、取得エラーの検出結果に基づいて、Ｗｅｂページに適正な登録情報が表示されるか否かを示す適正情報を生成する。
【手続補正９】
【補正対象書類名】明細書
【補正対象項目名】００１８
【補正方法】変更
【補正の内容】
【００１８】
従って、たとえ、プログラムインタフェースを通じて登録情報を取得できなかったことにより、登録情報記憶手段に記憶されている有効期限の経過した登録情報を用いてＷｅｂページを生成し、当該Ｗｅｂページを端末装置に送信することで、端末装置の画面には適正な情報が表示されるように見えるような場合であっても、当該Ｗｅｂページに真に適正な情報が表示されるか否かを知ることができる。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
請求項３に記載の発明は、請求項１または請求項２に記載の情報提供装置において、前記取得エラー検出手段は、前記取得エラーとして、前記プログラムインタフェースからのデータベース管理システムに対する問い合わせに対して、所定時間内にデータベース管理システムから応答がなかった場合のタイムアウトエラーと、前記プログラムインタフェースに対する前記登録情報の取得の指令に対して、所定時間内に当該プログラムインタフェースから応答がなかった場合のタイムアウトエラーと、を検出し、前記適正情報生成手段は、前記データベース管理システムから応答がなかった場合のタイムアウトエラーの検出数を示す第１エラー数情報と、前記プログラムインタフェースから応答がなかった場合のタイムアウトエラーの検出数を示す第２エラー数情報と、を含む前記適正情報を生成することを特徴とする。
【手続補正１３】
【補正対象書類名】明細書
【補正対象項目名】００２２
【補正方法】変更
【補正の内容】
【００２２】
この発明によれば、取得エラー数として、データベース管理システムから応答がなかった場合のタイムアウトエラーの検出数と、プログラムインタフェースから応答がなかった場合のタイムアウトエラーの検出数とを得ることができるので、システム増強等の対応を、データベース及びデータベース管理システムが組み込まれたシステムに対して施せば良いのか、あるいは、プログラムインタフェースが組み込まれたシステムに対して施せば良いのか、を判断することができる。
請求項４に記載の発明は、請求項１乃至３の何れか１項に記載の情報提供装置において、前記Ｗｅｂページ生成手段は、予め定められたカテゴリーに対応する前記登録情報が表示される領域が前記カテゴリー毎に設けられた前記Ｗｅｂページを、各前記カテゴリーに対応する前記登録情報を用いて生成し、前記登録情報記憶手段は、前記カテゴリーに対応するプログラムインタフェースを通じて取得された前記前記登録情報を前記カテゴリー毎に記憶し、前記期限経過判定手段は、前記有効期限が経過しているか否かを前記カテゴリー毎に判別し、前記登録情報取得・更新手段は、前記有効期限が経過している前記カテゴリーに対応する前記プログラムインタフェースに対して指令することにより前記登録情報を取得し、当該取得された登録情報で、当該カテゴリーに対応して前記登録情報記憶手段に記憶されている前記登録情報を更新し、前記取得エラー検出手段は、前記取得エラーを前記カテゴリー毎に検出し、前記適正情報生成手段は、前記適正情報を前記カテゴリー毎に生成することを特徴とする。
【手続補正１４】
【補正対象書類名】明細書
【補正対象項目名】００２３
【補正方法】変更
【補正の内容】
【００２３】
請求項５に記載の発明は、データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段を備える情報提供装置における適正情報生成方法であって、ユーザの指令に基づいて端末装置からネットワークを介して送信された要求情報であって、前記登録情報が表示されるＷｅｂページの要求を示す要求情報を受信する要求情報受信工程と、前記要求情報を受信した場合に、前記登録情報記憶手段に記憶されている前記登録情報に対して設定された有効期限が経過しているか否かを判別する期限経過判別工程と、前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新工程と、前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成工程と、前記生成されたＷｅｂページを、前記要求情報を送信した前記端末装置に前記ネットワークを介して送信するＷｅｂページ送信工程と、前記プログラムインタフェースに対する前記登録情報の取得の指令に対して、所定時間内に当該プログラムインタフェースから応答がなかった場合のタイムアウトエラーを、前記取得エラーとして検出する取得エラー検出工程と、前記取得エラーの検出結果に基づいて、前記送信されたＷｅｂページに適正な前記登録情報が表示されるか否かを示す適正情報を生成する適正情報生成工程と、を含むことを特徴とする。
請求項６に記載の発明は、データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段を備える情報提供装置における適正情報生成方法であって、ユーザの指令に基づいて端末装置からネットワークを介して送信された要求情報であって、前記登録情報が表示されるＷｅｂページの要求を示す要求情報を受信する要求情報受信工程と、前記要求情報を受信した場合に、前記登録情報記憶手段に記憶されている前記登録情報に対して設定された有効期限が経過しているか否かを判別する期限経過判別工程と、前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新工程と、前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成工程と、前記生成されたＷｅｂページを、前記要求情報を送信した前記端末装置に前記ネットワークを介して送信するＷｅｂページ送信工程と、前記プログラムインタフェースからのデータベース管理システムに対する問い合わせに対して、所定時間内にデータベース管理システムから応答がなかった場合のタイムアウトエラーを、前記取得エラーとして検出する取得エラー検出工程と、前記取得エラーの検出結果に基づいて、前記送信されたＷｅｂページに適正な前記登録情報が表示されるか否かを示す適正情報を生成する適正情報生成工程と、を含むことを特徴とする。
【手続補正１５】
【補正対象書類名】明細書
【補正対象項目名】００２４
【補正方法】変更
【補正の内容】
【００２４】
請求項７に記載の発明は、データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段を備える情報提供装置に含まれるコンピュータを、ユーザの指令に基づいて端末装置からネットワークを介して送信された要求情報であって、前記登録情報が表示されるＷｅｂページの要求を示す要求情報を受信する要求情報受信手段、前記要求情報を受信した場合に、前記登録情報記憶手段に記憶されている前記登録情報に対して設定された有効期限が経過しているか否かを判別する期限経過判別手段、前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新手段、前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成手段、前記生成されたＷｅｂページを、前記要求情報を送信した前記端末装置に前記ネットワークを介して送信するＷｅｂページ送信手段、前記プログラムインタフェースに対する前記登録情報の取得の指令に対して、所定時間内に当該プログラムインタフェースから応答がなかった場合のタイムアウトエラーを、前記取得エラーとして検出する取得エラー検出手段、及び、前記取得エラーの検出結果に基づいて、前記送信されたＷｅｂページに適正な前記登録情報が表示されるか否かを示す適正情報を生成する適正情報生成手段、として機能させることを特徴とする。
請求項８に記載の発明は、データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段を備える情報提供装置に含まれるコンピュータを、ユーザの指令に基づいて端末装置からネットワークを介して送信された要求情報であって、前記登録情報が表示されるＷｅｂページの要求を示す要求情報を受信する要求情報受信手段、前記要求情報を受信した場合に、前記登録情報記憶手段に記憶されている前記登録情報に対して設定された有効期限が経過しているか否かを判別する期限経過判別手段、前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新手段、前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成手段、前記生成されたＷｅｂページを、前記要求情報を送信した前記端末装置に前記ネットワークを介して送信するＷｅｂページ送信手段、前記プログラムインタフェースからのデータベース管理システムに対する問い合わせに対して、所定時間内にデータベース管理システムから応答がなかった場合のタイムアウトエラーを、前記取得エラーとして検出する取得エラー検出手段、及び、前記取得エラーの検出結果に基づいて、前記送信されたＷｅｂページに適正な前記登録情報が表示されるか否かを示す適正情報を生成する適正情報生成手段、として機能させることを特徴とする。
【手続補正１６】
【補正対象書類名】明細書
【補正対象項目名】００２５
【補正方法】変更
【補正の内容】
【００２５】
本発明によれば、たとえ、プログラムインタフェースを通じて登録情報を取得できなかったことにより、登録情報記憶手段に記憶されている有効期限の経過した登録情報を用いてＷｅｂページを生成し、当該Ｗｅｂページを端末装置に送信することで、端末装置の画面には適正な情報が表示されているように見えるような場合であっても、当該Ｗｅｂページに真に適正な情報が表示されるか否かを知ることができる。
【手続補正１７】
【補正対象書類名】特許請求の範囲
【補正対象項目名】全文
【補正方法】変更
【補正の内容】
【特許請求の範囲】
【請求項１】
データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段と、
ユーザの指令に基づいて端末装置からネットワークを介して送信された要求情報であって、前記登録情報が表示されるＷｅｂページの要求を示す要求情報を受信する要求情報受信手段と、
前記要求情報を受信した場合に、前記登録情報記憶手段に記憶されている前記登録情報に対して設定された有効期限が経過しているか否かを判別する期限経過判別手段と、
前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新手段と、
前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成手段と、
前記生成されたＷｅｂページを、前記要求情報を送信した前記端末装置に前記ネットワークを介して送信するＷｅｂページ送信手段と、
前記プログラムインタフェースに対する前記登録情報の取得の指令に対して、所定時間内に当該プログラムインタフェースから応答がなかった場合のタイムアウトエラーを、前記取得エラーとして検出する取得エラー検出手段と、
前記取得エラーの検出結果に基づいて、前記送信されたＷｅｂページに適正な前記登録情報が表示されるか否かを示す適正情報を生成する適正情報生成手段と、
を備えることを特徴とする情報提供装置。
【請求項２】
データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段と、
ユーザの指令に基づいて端末装置からネットワークを介して送信された要求情報であって、前記登録情報が表示されるＷｅｂページの要求を示す要求情報を受信する要求情報受信手段と、
前記要求情報を受信した場合に、前記登録情報記憶手段に記憶されている前記登録情報に対して設定された有効期限が経過しているか否かを判別する期限経過判別手段と、
前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新手段と、
前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成手段と、
前記生成されたＷｅｂページを、前記要求情報を送信した前記端末装置に前記ネットワークを介して送信するＷｅｂページ送信手段と、
前記プログラムインタフェースからのデータベース管理システムに対する問い合わせに対して、所定時間内にデータベース管理システムから応答がなかった場合のタイムアウトエラーを、前記取得エラーとして検出する取得エラー検出手段と、
前記取得エラーの検出結果に基づいて、前記送信されたＷｅｂページに適正な前記登録情報が表示されるか否かを示す適正情報を生成する適正情報生成手段と、
を備えることを特徴とする情報提供装置。
【請求項３】
請求項１または請求項２に記載の情報提供装置において、
前記取得エラー検出手段は、前記取得エラーとして、前記プログラムインタフェースからのデータベース管理システムに対する問い合わせに対して、所定時間内にデータベース管理システムから応答がなかった場合のタイムアウトエラーと、前記プログラムインタフェースに対する前記登録情報の取得の指令に対して、所定時間内に当該プログラムインタフェースから応答がなかった場合のタイムアウトエラーと、を検出し、
前記適正情報生成手段は、前記データベース管理システムから応答がなかった場合のタイムアウトエラーの検出数を示す第１エラー数情報と、前記プログラムインタフェースから応答がなかった場合のタイムアウトエラーの検出数を示す第２エラー数情報と、を含む前記適正情報を生成することを特徴とする情報提供装置。
【請求項４】
請求項１乃至３の何れか１項に記載の情報提供装置において、
前記Ｗｅｂページ生成手段は、予め定められたカテゴリーに対応する前記登録情報が表示される領域が前記カテゴリー毎に設けられた前記Ｗｅｂページを、各前記カテゴリーに対応する前記登録情報を用いて生成し、
前記登録情報記憶手段は、前記カテゴリーに対応するプログラムインタフェースを通じて取得された前記前記登録情報を前記カテゴリー毎に記憶し、
前記期限経過判定手段は、前記有効期限が経過しているか否かを前記カテゴリー毎に判別し、
前記登録情報取得・更新手段は、前記有効期限が経過している前記カテゴリーに対応する前記プログラムインタフェースに対して指令することにより前記登録情報を取得し、当該取得された登録情報で、当該カテゴリーに対応して前記登録情報記憶手段に記憶されている前記登録情報を更新し、
前記取得エラー検出手段は、前記取得エラーを前記カテゴリー毎に検出し、
前記適正情報生成手段は、前記適正情報を前記カテゴリー毎に生成することを特徴とする情報提供装置。
【請求項５】
データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段を備える情報提供装置における適正情報生成方法であって、
ユーザの指令に基づいて端末装置からネットワークを介して送信された要求情報であって、前記登録情報が表示されるＷｅｂページの要求を示す要求情報を受信する要求情報受信工程と、
前記要求情報を受信した場合に、前記登録情報記憶手段に記憶されている前記登録情報に対して設定された有効期限が経過しているか否かを判別する期限経過判別工程と、
前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新工程と、
前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成工程と、
前記生成されたＷｅｂページを、前記要求情報を送信した前記端末装置に前記ネットワークを介して送信するＷｅｂページ送信工程と、
前記プログラムインタフェースに対する前記登録情報の取得の指令に対して、所定時間内に当該プログラムインタフェースから応答がなかった場合のタイムアウトエラーを、前記取得エラーとして検出する取得エラー検出工程と、
前記取得エラーの検出結果に基づいて、前記送信されたＷｅｂページに適正な前記登録情報が表示されるか否かを示す適正情報を生成する適正情報生成工程と、
を含むことを特徴とする適正情報生成方法。
【請求項６】
データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段を備える情報提供装置における適正情報生成方法であって、
ユーザの指令に基づいて端末装置からネットワークを介して送信された要求情報であって、前記登録情報が表示されるＷｅｂページの要求を示す要求情報を受信する要求情報受信工程と、
前記要求情報を受信した場合に、前記登録情報記憶手段に記憶されている前記登録情報に対して設定された有効期限が経過しているか否かを判別する期限経過判別工程と、
前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新工程と、
前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成工程と、
前記生成されたＷｅｂページを、前記要求情報を送信した前記端末装置に前記ネットワークを介して送信するＷｅｂページ送信工程と、
前記プログラムインタフェースからのデータベース管理システムに対する問い合わせに対して、所定時間内にデータベース管理システムから応答がなかった場合のタイムアウトエラーを、前記取得エラーとして検出する取得エラー検出工程と、
前記取得エラーの検出結果に基づいて、前記送信されたＷｅｂページに適正な前記登録情報が表示されるか否かを示す適正情報を生成する適正情報生成工程と、
を含むことを特徴とする適正情報生成方法。
【請求項７】
データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段を備える情報提供装置に含まれるコンピュータを、
ユーザの指令に基づいて端末装置からネットワークを介して送信された要求情報であって、前記登録情報が表示されるＷｅｂページの要求を示す要求情報を受信する要求情報受信手段、
前記要求情報を受信した場合に、前記登録情報記憶手段に記憶されている前記登録情報に対して設定された有効期限が経過しているか否かを判別する期限経過判別手段、
前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新手段、
前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成手段、
前記生成されたＷｅｂページを、前記要求情報を送信した前記端末装置に前記ネットワークを介して送信するＷｅｂページ送信手段、
前記プログラムインタフェースに対する前記登録情報の取得の指令に対して、所定時間内に当該プログラムインタフェースから応答がなかった場合のタイムアウトエラーを、前記取得エラーとして検出する取得エラー検出手段、及び、
前記取得エラーの検出結果に基づいて、前記送信されたＷｅｂページに適正な前記登録情報が表示されるか否かを示す適正情報を生成する適正情報生成手段、
として機能させることを特徴とする適正情報生成処理プログラム。
【請求項８】
データベースに登録されていた登録情報であって、当該データベースを管理するデータベース管理システムに対して問い合わせを示す問い合わせ情報を出力するプログラムインタフェースを通じて当該データベース管理システムから取得された登録情報を記憶しておく登録情報記憶手段を備える情報提供装置に含まれるコンピュータを、
ユーザの指令に基づいて端末装置からネットワークを介して送信された要求情報であって、前記登録情報が表示されるＷｅｂページの要求を示す要求情報を受信する要求情報受信手段、
前記要求情報を受信した場合に、前記登録情報記憶手段に記憶されている前記登録情報に対して設定された有効期限が経過しているか否かを判別する期限経過判別手段、
前記有効期限が経過している場合には、前記プログラムインタフェースに対して指令することにより当該プログラムインタフェースを通じて前記登録情報を取得し、当該取得された登録情報で、前記登録情報記憶手段に記憶されている前記登録情報を更新する登録情報取得・更新手段、
前記有効期限が経過していない場合と、前記プログラムインタフェースを通じた前記登録情報の取得エラーが検出された場合と、の何れか一方の場合には、前記登録情報記憶手段に記憶されている前記登録情報が表示されるＷｅｂページを生成し、前記プログラムインタフェースを通じて前記登録情報が取得された場合には、当該取得された登録情報が表示されるＷｅｂページを生成するＷｅｂページ生成手段、
前記生成されたＷｅｂページを、前記要求情報を送信した前記端末装置に前記ネットワークを介して送信するＷｅｂページ送信手段、
前記プログラムインタフェースからのデータベース管理システムに対する問い合わせに対して、所定時間内にデータベース管理システムから応答がなかった場合のタイムアウトエラーを、前記取得エラーとして検出する取得エラー検出手段、及び、
前記取得エラーの検出結果に基づいて、前記送信されたＷｅｂページに適正な前記登録情報が表示されるか否かを示す適正情報を生成する適正情報生成手段、
として機能させることを特徴とする適正情報生成処理プログラム。